(57)【特許請求の範囲】
【請求項１】
バーナを内蔵する燃焼筐と、燃焼筐の外壁板の内面を覆って外壁板との間に冷却用空気を流す空気通路を画成する遮熱板とを備える燃焼装置に、外壁板と遮熱板とを貫通するようにして装着される電極部品であって、電極と、電極を挿通固定した碍子とを備えるものにおいて、
外壁板及び遮熱板を貫通して内方にのびる碍子の内方側半部の外径を外壁板の外面に当接するフランジ部から外方にのびる碍子の外方側半部の外径より大きくすると共に、碍子の内方側半部の空気通路内に位置する部分に、内方側半部の他の部分よりも外径を小さくした小径部を形成し、小径部に対し遮熱板側に隣接する内方側半部の部分の外径は、遮熱板に形成した碍子挿通孔の径以上であることを特徴とする燃焼装置用電極部品。
【発明の詳細な説明】
【技術分野】
【０００１】
本発明は、バーナを内蔵する燃焼筐と、燃焼筐の外壁板の内面を覆って外壁板との間に冷却用空気を流す空気通路を画成する遮熱板とを備える燃焼装置に、外壁板と遮熱板とを貫通するようにして装着される点火プラグやフレームロッド等の電極部品に関する。
【背景技術】
【０００２】
この種の電極部品は、電極と、電極を挿通固定した碍子とを備えている。そして、従来、電極部品の碍子は、燃焼筐の外壁板及び遮熱板を貫通して内方にのびる碍子の内方側半部と外壁板の外面に当接するフランジ部から外方にのびる碍子の外方側半部との外径がほぼ等しくなっている（例えば、特許文献１参照）。
【０００３】
ところで、碍子の外径が小さいと、沿面距離を確保する上で、碍子の内方側半部の長さを長くすることが必要になる。然し、これでは、遮熱板からの碍子の突出長さが長くなって、バーナの燃焼ガスによる碍子の加熱量が増加し、碍子の過熱を生じてしまう。
【０００４】
そこで、碍子の内方側半部の長さを長くせずに、沿面距離を確保できるよう、碍子の内方側半部の外径を碍子の外方側半部の外径より大きくすることが考えられる。然し、これでは、空気通路の碍子の直上部分に碍子が邪魔になって十分に空気が流れず、碍子の直上部分に合致する遮熱板の部分の冷却不足を生じてしまう。
【先行技術文献】
【特許文献】
【０００５】
【特許文献１】特開２００１−１３２９４６号公報
【発明の概要】
【発明が解決しようとする課題】
【０００６】
本発明は、以上の点に鑑み、碍子の過熱を防止して、且つ、碍子の直上部分に合致する遮熱板の部分の冷却不足も回避できるようにした燃焼装置用電極部品を提供することをその課題としている。
【課題を解決するための手段】
【０００７】
上記課題を解決するために、本発明は、バーナを内蔵する燃焼筐と、燃焼筐の外壁板の内面を覆って外壁板との間に冷却用空気を流す空気通路を画成する遮熱板とを備える燃焼装置に、外壁板と遮熱板とを貫通するようにして装着される電極部品であって、電極と、電極を挿通固定した碍子とを備えるものにおいて、外壁板及び遮熱板を貫通して内方にのびる碍子の内方側半部の外径を外壁板の外面に当接するフランジ部から外方にのびる碍子の外方側半部の外径より大きくすると共に、碍子の内方側半部の空気通路内に位置する部分に、内方側半部の他の部分よりも外径を小さくした小径部を形成し、小径部に対し遮熱板側に隣接する内方側半部の部分の外径は、遮熱板に形成した碍子挿通孔の径以上であることを特徴とする。
【０００８】
本発明によれば、碍子の内方側半部を大径にすることで、内方側半部の長さを長くせずに沿面距離を確保でき、碍子の過熱を防止することができる。更に、碍子の内方側半部の空気通路内に位置する部分に小径部を形成するため、空気通路の碍子の直上部分への空気の流れが然程阻害されず、碍子の直上部分に合致する遮熱板の部分の冷却不足も回避できる。
【０００９】
また、本発明によれば、小径部に対し遮熱板側に隣接する内方側半部の部分の外径は、上記の如く遮熱板に形成した碍子挿通孔の径以上であるため、碍子挿通孔を介して冷却用空気が空気通路から抜け出たり、空気通路に燃焼ガスが侵入することを抑制できる。
【図面の簡単な説明】
【００１０】
【図１】本発明の実施形態の電極部品を備える燃焼装置の斜視図。
【図２】図１のＩＩ−ＩＩ線で切断した切断側面図。
【図３】図２のＩＩＩ−ＩＩＩ線で切断した要部の拡大切断平面図。
【発明を実施するための形態】
【００１１】
図１、図２を参照して、１は、給湯用熱源機から成る燃焼装置を構成する燃焼筐を示している。燃焼筐１の上面は開放されており、燃焼筐１の上に被加熱物として図示省略した給湯用熱交換器が設置される。燃焼筐１内には、燃焼筐１内の空間を燃焼室２とその下側の給気室３とに仕切る仕切り板４が設けられている。燃焼室２内には、上端に炎口５１を有する前後方向に長手のバーナ５が横方向に並べて複数並設されている。
【００１２】
給気室３の底面には図外の燃焼ファンが接続されており、燃焼ファンから給気室３に空気が供給される。仕切り板４には、多数の分布孔４１が形成されており、給気室３に供給された空気がこれら分布孔４１を介して燃焼室２に二次空気として供給されるようにしている。
【００１３】
また、仕切り板４の前端には、上方に屈曲する起立板部４２と、起立板部４２の上端から前方に屈曲して燃焼筐１の前面の外壁板１１に達する上板部４３とが設けられている。そして、給気室３の前端部に、起立板部４２の前側で上板部４３に達するように立上る一次空気室３１が設けられる。起立板部４２には、各バーナ５の下部の混合管部５２の上流端の流入口５２ａに臨む各開口４４が形成され、一次空気室３１の前面は、ガスマニホールド６で閉塞される。ガスマニホールド６には、各開口４４に対向する各ノズル６１が設けられており、各開口４４、即ち、各バーナ５の混合管部５２に各ノズル６１から燃料ガスが供給されると共に一次空気室３１から一次空気が供給される。また、燃焼筐１の前側には、フレームロッド７と点火プラグ８とが配置されている。
【００１４】
また、燃焼筐１のバーナ５上端よりも上方の外壁板部分はバーナ５の燃焼で強く加熱される。そこで、燃焼筐１の耐熱性を確保するために、燃焼筐１の前面の外壁板１１、後面の外壁板１２及び左右各側面の外壁板１３のバーナ５上端よりも上方の部分の内面を隙間を存して覆う前側と後側と左右各側の遮熱板１４、１５、１６を設け、更に、燃焼筐１内に、バーナ５の後端縁に当接するバーナ押え板１７を設けている。そして、前面の外壁板１１と前側の遮熱板１４との間に、仕切り板４の上板部４３に形成した透孔４５を介して一次空気室３１から上昇する空気を冷却用空気として流す空気通路１４ａを画成すると共に、後面の外壁板１２と後側の遮熱板１５との間にも、後面の外壁板１２とバーナ押え板１７との間から上昇する空気を冷却用空気として流す空気通路１５ａを画成している。
【００１５】
また、前側の遮熱板１４の下端の高さはバーナ５上端よりも若干低くなっており、その下端に曲成した後方に屈曲する庇部１４１に、各バーナ５の上部前端部が係合する切欠きを形成する共に、バーナ押え板１７の上端に曲成した前方に屈曲する庇部１７１にも、各バーナ５の上部後端部が係合する切欠きを形成して、各バーナ５が横方向に位置決めされるようにしている。また、後側の遮熱板１５の下端部内面をバーナ５上端よりも下方位置でバーナ押え板１７の上部外面に当接させて、後面の外壁板１２とバーナ押え板１７との間から上昇する空気が効率よく空気通路１５ａに流入するようにしている。
【００１６】
図２、図３を参照して、電極部品たるフレームロッド７と点火プラグ８は、燃焼筐１の前面の外壁板１１と前側の遮熱板１４とを貫通するようにして装着されるもので、電極７１，８１と、電極７１，８１を挿通固定する碍子７２，８２とを備えている。また、碍子７２，８２は、外壁板１１及び遮熱板１４を貫通して、即ち、外壁板１１に形成した各碍子挿通孔１１１と遮熱板１４に形成した各碍子挿通孔１４２とを通して内方にのびる内方側半部７２１，８２１と、外壁板１１の外面に各碍子挿通孔１１１を閉塞するようにして当接するフランジ部７２２，８２２と、フランジ部７２２，８２２から外方にのびる外方側半部７２３，８２３とを有している。そして、外壁板１１の外面に、フレームロッド７及び点火プラグ８の碍子７２，８２のフランジ部７２２，８２２に重なるパッキン１８１を介して取付板１８を締結することにより、フレームロッド７及び点火プラグ８を固定している。
【００１７】
ここで、碍子７２，８２の内方側半部７２１，８２１の外径が外方側半部７２３，８２３と同程度の比較的小径であると、沿面距離を確保する上で、内方側半部７２１，８２１の長さを外方側半部７２３，８２３と同程度に長くすることが必要になる。然し、これでは、遮熱板１４からの碍子７２，８２の突出長さが長くなって、バーナ５の燃焼ガスによる碍子７２，８２の加熱量が増加し、碍子７２，８２の過熱を生じてしまう。
【００１８】
そのため、碍子７２，８２の内方側半部７２１，８２１の長さを長くせずに、沿面距離を確保できるよう、内方側半部７２１，８２１の外径を外方側半部７２３，８２３の外径より大きくすることが望ましい。但し、内方側半部７２１，８２１の外径を大きくするだけでは、外壁板１１と遮熱板１４との間の空気通路１４ａの碍子７２，８２の直上部分に碍子７２，８２が邪魔になって十分に空気が流れず、碍子７２，８２の直上部分に合致する遮熱板１４の部分の冷却不足を生じてしまう。
【００１９】
そこで、本実施形態では、碍子７２，８２の内方側半部７２１，８２１の外径を外方側半部７２３，８２３の外径より大きくすると共に、内方側半部７２１，８２１の空気通路１４ａ内に位置する部分に、内方側半部７２１，８２１の他の部分よりも外径を小さくした小径部７２１ａ，８２１ａを形成している。これによれば、小径部７２１ａ，８２１ａの周囲からその上方に空気が流れるため、空気通路１４ａの碍子７２，８２の直上部分への空気の流れが然程阻害されず、碍子７２，８２の直上部分に合致する遮熱板１４の部分の冷却不足を回避できる。
【００２０】
また、本実施形態では、小径部７２１ａ，８２１ａに対し遮熱板１４側に隣接する内方側半部７２１，８２１の部分の外径を遮熱板１４の碍子挿通孔１４２の径と同等にしている。これにより、碍子挿通孔１４２を介して冷却用空気が空気通路１４ａから抜け出たり、空気通路１４ａに燃焼ガスが侵入することを抑制できる。尚、小径部７２１ａ，８２１ａに対し遮熱板１４側に隣接する内方側半部７２１，８２１の部分の外径を碍子挿通孔１４２の径より大きくしてもよい。
【符号の説明】
【００２１】
１…燃焼筐、１１…外壁板、１４…遮熱板、１４ａ…空気通路、１４２…碍子挿通孔、５…バーナ、７…フレームロッド（電極部品）、８…点火プラグ（電極部品）、７１，８１…電極、７２，８２…碍子、７２１，８２１…碍子の内方側半部、７２１ａ，８２１ａ…小径部、７２２，８２２…碍子のフランジ部、７２３，８２３…碍子の外方側半部。
【図１】
0006468589.tif 000002
【図２】
0006468589.tif 000003
【図３】
0006468589.tif 000004